(57)【要約】【課題】  本発明は多数本敷設されている光ファイバ心線のうち、光ファイバ心線に過剰な曲げ等の悪影響を与えることなく、容易な作業で、熟練作業者でなくても確実に光ファイバ心線を特定することができる光ファイバ心線の特定方法を得るにある。【解決手段】  本発明は多数本敷設された光ファイバ心線のうち特定の光ファイバ心線が判断できる一端部より可視光や赤外線光等の光を発信器で入光させる入光工程と、多数本敷設された光ファイバ心線の他端部に接触あるいは非接触により入光された光を検出するセンサおよび該センサで検出した光を識別する識別機とを用いて光ファイバ心線を特定する特定工程とで光ファイバ心線の特定方法を構成している。【選択図】  図１
2007248707.tif 000002
【特許請求の範囲】
【請求項１】
多数本敷設された光ファイバ心線のうち、特定の光ファイバ心線が判断できる、一端部より可視光や赤外線光等の光を発信器で入光させる入光工程と、前記多数本敷設された光ファイバ心線の他端部に、接触あるいは非接触により入光された光を検出するセンサおよび、該センサで検出した光を識別する識別機とを用いて特定のファイバ心線を特定する特定工程とを含むことを特徴とする光ファイバ心線の特定方法。
【請求項２】
多数本敷設された光ファイバ心線のうち、特定の光ファイバ心線が判断できる、一端部より可視光や赤外線光等の光を発信器で入光させる入光工程と、前記多数本敷設された光ファイバ心線の他端部に、接触あるいは非接触により入光された光を治具、中継ファイバおよびセンサ本体とからなるセンサで検出し、該センサで検出した光を識別する識別機とを用いて特定の光ファイバ心線を特定する特定工程とを含むことを特徴とする光ファイバ心線の特定方法。
【請求項３】
光の漏れを生じ易い波長１０００ｎｍ以下の入射光を用いて光ファイバ心線に対し新たな曲げを全く加えることなく行うことを特徴とする請求項１、請求項２いずれかに記載の光ファイバ心線の特定方法。
【請求項４】
光の漏れを生じ易い波長１０００ｎｍ以下の入射光を用いることにより、光ファイバの信頼性に影響を与えない許容曲げ径以上のゆるやかな曲げを加えて行う請求項１記載の光ファイバ心線の特定方法。
【発明の詳細な説明】
【技術分野】
【０００１】
本発明は多数本敷設された光ファイバ心線のうち、特定の光ファイバ心線を識別する光ファイバ心線の特定方法に関する。
【背景技術】
【０００２】
従来、多数本敷設された光ファイバコードやコード型ケーブルの光ファイバ心線のうち、不要となった光ファイバ心線を特定する場合、一端部より可視光を入光させ、他端部のコードやケーブルを曲げて、漏れ光により確認したり、心線識別機を噛ませて（曲げを加えて）通光により確認を行なっていた。
【０００３】
しかし、このような光ファイバ心線の特定方法では光ファイバ心線に過度な曲げ（治具を用いても、作業者の裁量により大きく左右されてしまう）を加えるため、断心の可能性が強くひそんでいる。
また、通信中、光ファイバ心線を曲げた場合には不通となり、重大な通信事故になるという欠点があった。
【特許文献１】特になし
【発明の開示】
【発明が解決しようとする課題】
【０００４】
本発明は以上のような従来の欠点に鑑み、多数本敷設されている光ファイバ心線のうち、特定する光ファイバ心線を曲げて、光ファイバ心線に悪影響を与えることなく、容易な作業で、熟練作業者でなくても確実に光ファイバ心線を特定することができる光ファイバ心線の特定方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は多数本敷設された光ファイバ心線のうち、特定の光ファイバ心線が判断できる、一端部より可視光や赤外線光等の光を発信器で入光させる入光工程と、前記多数本敷設された光ファイバ心線の他端部に、接触あるいは非接触により入光された光を検出するセンサおよび、該センサで検出した光を識別する識別機とを用いて光ファイバ心線を特定する特定工程とで光ファイバ心線の特定方法を構成している。
【０００７】
本発明は多数本敷設された光ファイバ心線のうち、特定の光ファイバ心線が判断できる、一端部より可視光や赤外線光等の光を発信器で入光させる入光工程と、前記多数本敷設された光ファイバ心線の他端部に、接触あるいは非接触により入光された光を治具、中継ファイバおよびセンサ本体とからなるセンサで検出し、該センサで検出した光を識別する識別機とを用いて光ファイバ心線を特定する特定工程とで光ファイバ心線の特定方法を構成している。
【発明の効果】
【０００８】
以上の説明から明らかなように、本発明にあっては次に列挙する効果が得られる。
【０００９】
（１）多数本敷設された光ファイバ心線のうち、特定の光ファイバ心線が判断できる、一端部より可視光や赤外線光等の光を発信器で入光させる入光工程と、前記多数本敷設された光ファイバ心線の他端部に、接触あるいは非接触により入光された光を検出するセンサおよび、該センサで検出した光を識別する識別機とを用いて光ファイバ心線を特定する特定工程とからなるので、多数本敷設された光ファイバ心線に対し信頼性上の危険が伴う曲げを与えることなく特定することができる。
したがって、加入者の変動により、不要となった光ファイバ心線を除去し、配線スペースの効率化、増設、移設等の簡易化が可能で、曲げによる過剰な伝送損失が生じないので、使用中の活線に対しても安全に使用することができる。
【００１０】
（２）前記（１）によって、光ファイバ心線の一端部より発信器で可視光や赤外線光等の光を入光し、他端部を接触あるいは非接触で入光された光を検出するセンサや識別機で識別して特定するので、熟練者でなくても容易に、確実に光ファイバ心線を特定することができる。
したがって、作業者を選ばず、気軽に低コストで光ファイバ心線を特定して除去することができる。
【００１１】
（３）前記（１）によって、発信器とセンサおよび識別機を用いて行なうので、容易に実施することができる。
【００１２】
（４）請求項２も前記（１) 〜（３）と同様な効果が得られる。
【発明を実施するための最良の形態】
【００１３】
以下、図面に示す本発明を実施するための最良の形態により、本発明を詳細に説明する。
【００１４】
図１ないし図４に示す本発明を実施するための最良の第１の形態において、１は本発明の光ファイバ心線の特定方法で、この光ファイバ心線の特定方法１は多数本敷設された光ファイバ心線２のうち、特定の光ファイバ心線２Ａが判断できる、一端部より可視光や赤外線光等の光を発信器３で入光させる入光工程４と、前記多数本敷設された光ファイバ心線２の他端部の外被２ａに接触あるいは非接触により入光された光が、該外被２ａより漏れるのを検出するセンサ５および、該センサ５で検出した光を識別するとランプの点灯や音を出すことができる表示器６を備える識別機７とを用いて光ファイバ心線２Ａを特定する特定工程８とで構成されている。
【００１５】
前記入光工程４で使用される発信器３は図３に示すように、可視光や赤外線光等の光を出す発信器本体９と、この発信器本体９より出る光を光ケーブル１０を介して導かれるコネクタソケット１１とで構成され、光ファイバ心線２Ａの一端部のコネクタ１２をコネクタソケット１１に接続することで、光ファイバ心線２Ａに光を入光させることができる。
【００１６】
前記特定工程８は図４に示すように、多数本敷設された光ファイバ心線２の外被２ａにセンサ５を位置させ、識別機７で入光された光が漏れているかどうかを判断する。  
このため、識別機７で確認されるまでセンサ５を順次多数本敷設された光ファイバ心線２、２Ａに接触あるいは非接触させて行ない、識別機７の表示器６が表示するまで行なう。
なお、センサ５は外部の光が入りずらい場所で使用する場合には、非接触でもよく、外部の光が入る場合には外被２ａに接触させるように位置させて、光の検出を行なう。
[発明を実施するための異なる形態]
【００１７】
次に、図５ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図５ないし図７に示す本発明を実施するための第２の形態において、前記本発明を実施するための最良の第１の形態と主に異なる点は、光ファイバ心線２Ａの外被２ａから入光された光を外部の光にじゃまされないように検出できるようにコ字状のカバー１３を設けたセンサ５Ａを用いて特定工程８Ａを行なった点で、このようなセンサ５Ａで特定工程８Ａを行なった光ファイバ心線の特定方法１Ａでも、前記本発明を実施するための最良の第１の形態と同様な作用効果が得られる。
【００１９】
図８ないし図１０に示す本発明を実施するための第３の形態において、前記本発明を実施するための最良の第１の形態と主に異なる点は、光ファイバ心線２Ａの他端部に接触あるいは非接触により入光された光を治具１４、中継ファイバ１５およびセンサ本体１６とからなるセンサ５Ｂで検出する特定工程８Ｂを行なった点で、このようなセンサ５Ｂで特定工程８Ｂを行なった光ファイバ心線の特定方法１Ｂでも、前記本発明を実施するための最良の第１の形態と同様な作用効果が得られる。
【００２０】
図１１ないし図１４に示す本発明を実施するための第４の形態において、前記本発明を実施するための最良の第１の形態と主に異なる点は光ファイバ心線２、２Ａの両端部のコネクタ１２、１２のブーツ１７、１７部にセンサ挿入孔１８、１８を形成し、入光された光をピン状のセンサ５Ｃをセンサ挿入孔１８に挿入して検出する特定工程８Ｃを行なった点で、このような特定工程８Ｃを行なった光ファイバ心線の特定方法１Ｃでも、前記本発明を実施するための最良の第１の形態と同様な作用効果が得られるとともに、センサ５Ｃをコネクタ１２のブーツ１７に形成したセンサ挿入孔１８に差し込むだけであるので、光ファイバ心線２、２Ａの損傷を確実に防止することができる。
なお、本発明を実施する形態ではコネクタ１２、１２のブーツ１７、１７部に形成するセンサ挿入孔１８、１８は光ファイバ心線２、２Ａの外被２ａ部分まで、あるいは外被２ａの外表面部分までのいずれかに形成される。
【産業上の利用可能性】
【００２１】
本発明は多数本敷設された光ファイバ心線から不要となった光ファイバ心線を除去する産業で利用される。
【図面の簡単な説明】
【００２２】
【図１】本発明を実施するための最良の第１の形態の工程図。
【図２】本発明を実施するための最良の第１の形態の説明図。
【図３】本発明を実施するための最良の第１の形態の入光工程の説明図。
【図４】本発明を実施するための最良の第１の形態の特定工程の説明図。
【図５】本発明を実施するための第２の形態の工程図。
【図６】本発明を実施するための第２の形態の説明図。
【図７】本発明を実施するための第２の形態のセンサの説明図。
【図８】本発明を実施するための第３の形態の工程図。
【図９】本発明を実施するための第３の形態の説明図。
【図１０】本発明を実施するための第３の形態のセンサの説明図。
【図１１】本発明を実施するための第４の形態の工程図。
【図１２】本発明を実施するための第４の形態の説明図。
【図１３】本発明を実施するための第４の形態のセンサ挿入孔の説明図。
【図１４】本発明を実施するための第４の形態の特定工程の説明図。
【符号の説明】
【００２３】
1、１Ａ、１Ｂ、１Ｃ：光ファイバ心線の特定方法、
２、２Ａ：光ファイバ心線、    ３：発信器、
４：入光工程、                ５、５Ａ、５Ｂ、５Ｃ：センサ、
６：表示器、                  ７：識別機、
８、８Ａ、８Ｂ、８Ｃ：特定工程、
９：発信器本体、              １０：光ケーブル、
１１：コネクタソケット、      １２：コネクタ、
１３：カバー、                １４：治具、
１５：中継ファイバ、          １６：センサ本体、
１７：ブーツ、                １８：センサ挿入孔。
【図１】
2007248707.tif 000003
【図２】
2007248707.tif 000004
【図３】
2007248707.tif 000005
【図４】
2007248707.tif 000006
【図５】
2007248707.tif 000007
【図６】
2007248707.tif 000008
【図７】
2007248707.tif 000009
【図８】
2007248707.tif 000010
【図９】
2007248707.tif 000011
【図１０】
2007248707.tif 000012
【図１１】
2007248707.tif 000013
【図１２】
2007248707.tif 000014
【図１３】
2007248707.tif 000015
【図１４】
2007248707.tif 000016